【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
固体を液体に抽出する抽出装置であって、
液体内容物を収容することが可能なカラフェであって、上部と底部を有し、前記上部と前記底部との間に側部を有し、前記側部が外周を有する、カラフェと、
前記カラフェの前記底部に近接して配置される加熱要素と、
前記カラフェの前記側部に近接してその外側に配置される磁石であって、前記カラフェの前記上部と前記底部との間に配置され、前記カラフェの外周周りの移動が可能な、磁石と、
前記カラフェの内側に嵌合することが可能な撹拌器であって、
ベースと、
前記ベースに取り付けられる第１端と前記ベースから離れて延在する第２端を有する細長のライザーと、
前記細長のライザーの前記第２端に取り付けられるブロックであって、前記磁石に取り付けられることが可能なブロックと、を具備し、
前記撹拌器が前記カラフェの内側に挿入されると、前記ベースは前記カラフェの前記底部に置かれ、前記ブロックは前記カラフェの前記底部と前記上部との間にあり、前記磁石の位置に近接する、撹拌器と、を備える、
抽出装置。
【請求項２】
前記カラフェの前記液体内容物の温度を測定することが可能な温度計をさらに備える、
請求項１に記載の抽出装置。
【請求項３】
前記加熱要素が誘導加熱器であり、前記撹拌器の前記ベースが誘導加熱のターゲットである、
請求項１に記載の抽出装置。
【請求項４】
前記加熱要素が誘導加熱器であり、前記カラフェがさらに誘導加熱のターゲットを備える、
請求項１に記載の抽出装置。
【請求項５】
前記加熱要素が誘導加熱器であり、前記抽出装置が、前記カラフェ内に配置されることが可能な、誘導加熱のターゲットをさらに備える、
請求項１に記載の抽出装置。
【請求項６】
前記加熱要素が赤外線加熱要素であり、前記撹拌器の前記ベースが前記赤外線加熱のターゲットである、
請求項１に記載の抽出装置。
【請求項７】
前記加熱要素が赤外線加熱器であり、前記カラフェがさらに、赤外線加熱のターゲットを備える、
請求項１に記載の抽出装置。
【請求項８】
前記加熱要素が赤外線加熱器であり、前記抽出装置が、前記カラフェ内に配置されることが可能な、赤外線加熱のターゲットをさらに備える、
請求項１に記載の抽出装置。
【請求項９】
前記加熱要素が赤外線加熱器である、
請求項１に記載の抽出装置。
【請求項１０】
前記撹拌器が前記カラフェの構成要素である、
請求項１に記載の抽出装置。
【請求項１１】
前記加熱要素と前記磁石の回転のうち少なくとも一方を制御することが可能なコントローラをさらに備える、
請求項１に記載の抽出装置。
【請求項１２】
前記コントローラが、所定の数の抽出オプションを備える、
請求項１１に記載の抽出装置。
【請求項１３】
前記コントローラが、遠隔装置を介して制御され得る、
請求項１１に記載の抽出装置。
【請求項１４】
前記コントローラが、時間と共に撹拌速度を変化させる、
請求項１１に記載の抽出装置。
【請求項１５】
前記コントローラが、時間と共に温度を変化させる、
請求項１１に記載の抽出装置。
【請求項１６】
前記磁石によって前記撹拌器を非円形に移動させる、
請求項１に記載の抽出装置。
【請求項１７】
内部容積と外部表面を有するカラフェであって、前記内部容積が液体及び固体を収容することが可能であり、底部と側部とを有する、カラフェと、
前記カラフェの前記底部に近接して配置される加熱要素であって、前記液体及び前記固体を加熱することが可能な加熱要素と、
前記カラフェに近接して配置される温度計であって、前記液体及び前記固体の温度を計測することが可能な温度計と、
前記カラフェの前記外部表面周りを前記カラフェの前記側部に沿って移動することが可能な磁石と、
前記磁石に回転移動を付与することが可能なモータと、
前記カラフェの内側に嵌合することが可能な撹拌器であって、前記撹拌器が、
磁界に引き付けられ、前記磁石に引き付けられる目的を果たす領域であって、撹拌ロッドの回転移動を生み出す領域と、
磁界に引き付けられる前記領域に取り付けられる細長ライザーであって、磁界に引き付けられる前記領域を前記加熱表面の上の位置まで高く持ち上げる前記細長ライザーと、を備える撹拌器と、
前記温度計とオペレータの両方からの入力を取り込み、前記物質の前記加熱及び撹拌を制御するコントローラと、を備える、
抽出混合器。
【手続補正２】
【補正対象書類名】明細書
【補正対象項目名】００３３
【補正方法】変更
【補正の内容】
【００３３】
本発明のいくつかの新規特徴が示され、説明されてきたが、図示された装置の形態や詳細、及びその動作において、本発明の要旨を逸脱しない範囲で、様々な省略、置き換え、変更が当業者によってなされ得ることが理解されるだろう。
以下、本発明の実施の態様の例を列挙する。
［第１の局面］
固体を液体に抽出する抽出装置であって、
液体内容物を含有することが可能なカラフェであって、外周を有するカラフェと、
前記カラフェに近接して配置される加熱要素と、
前記カラフェに近接して配置される磁石であって、前記カラフェの外周周りの移動が可能な磁石と、
前記カラフェの内側に嵌合することが可能な撹拌器であって、
ベースと、
前記ベースに取り付けられる第１端と前記ベースから離れて延在する第２端を有する細長のライザーと、
前記細長のライザーの前記第２端に取り付けられるブロックであって、前記磁石に取り付けられることが可能なブロックと、を具備する撹拌器と、を備える、
抽出装置。
［第２の局面］
前記カラフェの前記液体内容物の温度を測定することが可能な温度計をさらに備える、
第１の局面に記載の抽出装置。
［第３の局面］
前記加熱要素が誘導加熱器であり、前記撹拌器の前記ベースが誘導加熱のターゲットである、
第１の局面に記載の抽出装置。
［第４の局面］
前記加熱要素が誘導加熱器であり、前記カラフェがさらに誘導加熱のターゲットを備える、
第１の局面に記載の抽出装置。
［第５の局面］
前記加熱要素が誘導加熱器であり、前記抽出装置が、前記カラフェ内に配置されることが可能な、誘導加熱のターゲットをさらに備える、
第１の局面に記載の抽出装置。
［第６の局面］
前記加熱要素が赤外線加熱要素であり、前記撹拌器の前記ベースが前記赤外線加熱のターゲットである、
第１の局面に記載の抽出装置。
［第７の局面］
前記加熱要素が赤外線加熱器であり、前記カラフェがさらに、赤外線加熱のターゲットを備える、
第１の局面に記載の抽出装置。
［第８の局面］
前記加熱要素が赤外線加熱器であり、前記抽出装置が、前記カラフェ内に配置されることが可能な、赤外線加熱のターゲットをさらに備える、
第１の局面に記載の抽出装置。
［第９の局面］
前記加熱要素が赤外線加熱器である、
第１の局面に記載の抽出装置。
［第１０の局面］
前記撹拌器が前記カラフェの構成要素である、
第１の局面に記載の抽出装置。
［第１１の局面］
前記加熱要素と前記磁石の回転のうち少なくとも一方を制御することが可能なコントローラをさらに備える、
第１の局面に記載の抽出装置。
［第１２の局面］
前記コントローラが、所定の数の抽出オプションを備える、
第１１の局面に記載の抽出装置。
［第１３の局面］
前記コントローラが、遠隔装置を介して制御され得る、
第１１の局面に記載の抽出装置。
［第１４の局面］
前記コントローラが、時間と共に撹拌速度を変化させる、
第１１の局面に記載の抽出装置。
［第１５の局面］
前記コントローラが、時間と共に温度を変化させる、
第１１の局面に記載の抽出装置。
［第１６の局面］
前記磁石によって前記撹拌器を非円形に移動させる、
第１の局面に記載の抽出装置。
［第１７の局面］
内部容積と外部表面を有するカラフェであって、前記内部容積が液体及び固体を含有することが可能なカラフェと、
前記カラフェに近接して配置される加熱要素であって、前記液体及び前記固体を加熱することが可能な加熱要素と、
前記カラフェに近接して配置される温度計であって、前記液体及び前記固体の温度を計測することが可能な温度計と、
前記カラフェの前記外部表面周りを移動することが可能な磁石と、
前記磁石に回転移動を付与することが可能なモータと、
前記カラフェの内側に嵌合することが可能な撹拌器であって、前記撹拌器が、
磁界に引き付けられ、前記磁石に引き付けられる目的を果たす領域であって、撹拌ロッドの回転移動を生み出す領域と、
磁界に引き付けられる前記領域に取り付けられる細長ライザーであって、磁界に引き付けられる前記領域を前記加熱表面の上の位置まで高く持ち上げる前記細長ライザーと、を備える撹拌器と、
前記温度計とオペレータの両方からの入力を取り込み、前記物質の前記加熱及び撹拌を制御するコントローラと、を備える、
抽出混合器。